(57)【要約】  【課題】  砕石などの掘削作業の効率向上と共に、取り扱い時の衝撃による音の発生を極力防止可能なショベル・スコップを提供する。  【解決手段】  把持体４を備えた柄体２を匙体３の柄挿入部３ｂに挿入して固着したショベル１において、匙体３を被掘削物である砕石などへ突き入れやすいように匙体３の刃先部に略剣先状の突起片３ａを形成すると共に、匙体３の全面または一部に樹脂、または耐摩耗ゴム、その他のゴム材等の衝撃時の振動を抑える制振防音材５を貼り付ける。こうすることによって、刃先部が砕石によって弾かれることなく匙体３を砕石内に突き入れることができ、一度で多くの砕石をすくい上げることが可能となると共に、匙体３に貼り付けた制振防音材５が衝撃時の振動を吸収して音が響かず、音の発生を防止する。【選択図】  図１
2005126932.tif 000002
【特許請求の範囲】
【請求項１】
把持体を備えた柄体を匙体の柄挿入部に挿入して固着したショベル・スコップにおいて、前記匙体を被掘削物内へ突き入れやすいように匙体の刃先部に略剣先状の突起片を形成すると共に、匙体には衝撃時の振動を抑える制振防音材を貼り付けたことを特徴とするショベル・スコップ。
【請求項２】
前記制振防音材は、樹脂、耐摩耗ゴム、その他ゴム材のいずれかであることを特徴とする請求項１記載のショベル・スコップ。
【請求項３】
把持体を備えた柄体を匙体の柄挿入部に挿入して固着したショベル・スコップにおいて、前記匙体を被掘削物内へ突き入れやすいように匙体の刃先部に略剣先状の突起片を形成すると共に、匙体に衝撃時の振動を抑える樹脂系塗料、ゴム系塗料のいずれかを塗布したことを特徴とするショベル・スコップ。
【請求項４】
把持体を備えた鋼管製柄体を匙体の柄挿入部に挿入して固着したショベル・スコップにおいて、前記匙体を被掘削物内へ突き入れやすいように匙体の刃先部に略剣先状の突起片を形成すると共に、前記鋼管製柄体には衝撃時の振動を抑える制振防音材の貼り付け、柄体内への制振防音材の充填のいずれかを施したことを特徴とするショベル・スコップ。
【発明の詳細な説明】
【技術分野】
【０００１】
本発明は、砕石をすくい上げるのに使用するショベル又はスコップに関する。
【背景技術】
【０００２】
土木作業や園芸作業などに使用されているショベル・スコップは、金属製の匙体、木製または鋼管製の柄体、及び把持体より構成されている。このショベル・スコップは、土木作業や園芸作業の他にしばしば線路補修工事などに使用されることがあるが、その匙体の刃先部は通常直線形状であるため、匙体を砕石内へ突き入れる際の抵抗が大きく、思い通りに砕石をすくい上げることが困難で作業効率が悪い。また、作業時には金属製の匙体と砕石との接触によって大きな衝撃音が発生するため、特に夜間作業においては、付近に住宅があれば騒音の発生に気を配る必要がある。
【０００３】
ところで、以下の特許文献に示すように、従来よりあるショベル・スコップの匙体の刃先部をＷ形状や鋸刃状に形成することにより、匙体を砕石内へ突き入れる際の抵抗を減らして砕石を効率良くすくい上げることができるようにしたものが幾つか提案されている。
【特許文献１】実開昭５２−２６７０２号
【特許文献２】実開昭５６−１５０２５１号
【特許文献３】実開昭５７−３８８５５号
【特許文献４】実開昭６２−１６３５５６号
【発明の開示】
【発明が解決しようとする課題】
【０００４】
しかしながら、上記のショベル・スコップでは、確かに砕石などの掘削作業の効率は向上できるものの騒音の発生を抑えることは何ら考慮されておらず、夜間の線路補修工事などにおいては、依然として騒音の発生に気を配る必要があった。
【０００５】
本発明は上記の点に鑑み、砕石などの掘削作業の効率向上と共に、取り扱い時の衝撃による音の発生を極力防止可能なショベル・スコップを提供することを課題とする。
【課題を解決するための手段】
【０００６】
上記の課題を解決するために、本発明の請求項１記載のショベル・スコップにあっては、把持体を備えた柄体を匙体の柄挿入部に挿入して固着したショベル・スコップにおいて、前記匙体を被掘削物内へ突き入れやすいように匙体の刃先部に略剣先状の突起片を形成すると共に、匙体には衝撃時の振動を抑える制振防音材を貼り付けたことを特徴としている。
【０００７】
また、請求項２記載のショベル・スコップにあっては、前記制振防音材は、樹脂、耐摩耗ゴム、その他ゴム材のいずれかであることを特徴としている。
【０００８】
また、請求項３記載のショベル・スコップにあっては、把持体を備えた柄体を匙体の柄挿入部に挿入して固着したショベル・スコップにおいて、前記匙体を被掘削物内へ突き入れやすいように匙体の刃先部に略剣先状の突起片を形成すると共に、匙体に衝撃時の振動を抑える樹脂系塗料、ゴム系塗料のいずれかを塗布したことを特徴としている。
【０００９】
また、請求項４記載のショベル・スコップにあっては、把持体を備えた鋼管製柄体を匙体の柄挿入部に挿入して固着したショベル・スコップにおいて、前記匙体を被掘削物内へ突き入れやすいように匙体の刃先部に略剣先状の突起片を形成すると共に、前記鋼管製柄体には衝撃時の振動を抑える制振防音材の貼り付け、柄体内への制振防音材の充填のいずれかを施したことを特徴としている。
【発明の効果】
【００１０】
本発明に係る請求項１記載のショベル・スコップによれば、匙体を被掘削物内へ突き入れやすいように匙体の刃先部に略剣先状の突起片を形成すると共に、匙体には衝撃時の振動を抑える制振防音材を貼り付けたので、被掘削物が砕石であっても匙体を突き入れやすくて容易にすくい上げることができると共に、匙体に砕石との接触などによる衝撃が加わっても制振防音材によって振動を抑えて音の発生を防止できる。
【００１１】
本発明に係る請求項２記載のショベル・スコップによれば、前記制振防音材は、樹脂、耐摩耗ゴム、その他ゴム材のいずれかであるので、匙体に砕石との接触などによる衝撃が加わっても振動を抑えることができ、音の発生を防止できる。
【００１２】
本発明に係る請求項３記載のショベル・スコップによれば、匙体を被掘削物内へ突き入れやすいように匙体の刃先部に略剣先状の突起片を形成すると共に、匙体に衝撃時の振動を抑える樹脂系塗料、ゴム系塗料のいずれかを塗布したので、被掘削物が砕石であっても匙体を突き入れやすくて容易にすくい上げることができると共に、匙体に砕石との接触などによる衝撃が加わっても振動を抑えて音の発生を防止できる。
【００１３】
本発明に係る請求項４記載のショベル・スコップによれば、匙体を被掘削物内へ突き入れやすいように匙体の刃先部に略剣先状の突起片を形成すると共に、前記鋼管製柄体には衝撃時の振動を抑える制振防音材の貼り付け、柄体内への制振防音材の充填のいずれかを施したので、鋼管製柄体に砕石との接触などによる衝撃が加わっても制振防音材によって振動を抑えて音の発生を防止できる。
【発明を実施するための最良の形態】
【００１４】
本発明に係わる請求項１記載のショベル・スコップによれば、匙体の刃先部に略剣先状の突起片を形成して砕石などの被掘削物内へ突き入れやすいようにすると共に、匙体には衝撃による振動を吸収するような板状またはシート状の制振防音材を貼り付ける。前記突起片は、被掘削物の種類や性状に応じてその数や形状を適宜変更すれば良く、要は匙体を突き入れた際に弾かれにくければ良い。また、制振防音材を貼り付ける箇所は、匙体表面の全面であれば防音効果が大きいが、例えば、すくい部、刃先部、足踏み部等の匙体表面の一部分に貼り付けたり、また、摩耗しにくい匙体裏面の柄挿入部などに貼り付けたり、更には前記箇所を適宜組み合わせて貼り付けるなどしてもそれなりの防音効果を発揮できる。このように、匙体の刃先部に略剣先状の突起片を形成すると共に、匙体の適宜箇所に制振防音材を貼り付けることによって、匙体を砕石などの被掘削物内へ突き入れやすくして容易にすくい上げることができるようにすると共に、匙体と砕石との接触によって匙体に大きな衝撃が加わっても制振防音材にて振動を吸収して音が響かず、音の発生を防止できる。
【００１５】
本発明に係わる請求項２記載のショベル・スコップによれば、板状またはシート状の樹脂、または耐摩耗ゴム、その他ゴム材を制振防音材として匙体に貼り付ける。これらの制振防音材は、接着剤、熱による溶着、熱による溶着を施しながらの圧接、溶射、リベットなど、適宜の方法によって貼り付ける。なお、耐摩耗ゴムは、匙体の表面などの摩耗しやすい箇所への貼り付けもでき、また溶着施工がしやすくて制振防音材として好適である。また、ウレタンゴム等のゴム材や樹脂を使用するときには、匙体に貼り付けてから耐摩耗性の高い鋼板等より成る板体にて押さえつけながら表面を覆うようにして摩耗対策を施すと良い。このように、樹脂、または耐摩耗ゴム、その他のゴム材を制振防音材として使用すれば安価であり、音の発生の防止も期待できる。
【００１６】
本発明に係わる請求項３記載のショベル・スコップによれば、匙体に制振防音材を貼り付ける代わりに、衝撃時の振動を抑える樹脂系塗料またはゴム系塗料を塗布する。この樹脂系塗料またはゴム系塗料によっても音の発生の防止効果が期待できる。
【００１７】
本発明に係わる請求項４記載のショベル・スコップによれば、鋼管製の柄体には、柄体表面に衝撃時の振動を抑える樹脂材やゴム材等の制振防音材を貼り付けるか、または鋼管製柄体の管内にウレタンゴム等の制振防音材を充填する。これによって、鋼管製柄体に衝撃が加わっても振動を抑えて音の発生の防止が期待できる。
【実施例１】
【００１８】
以下、本発明の実施例を図面に基づいて説明する。
【００１９】
図１は本発明のショベル１の正面図であり、木製または鋼管製の柄体２と、その一端側に匙体３を、他端側に把持体４を固着して構成されている。前記匙体３の刃先部には略剣先状の突起片３ａを一対形成しており、匙体３を被掘削物である砕石などへ突き入れた際には、前記突起片３ａが砕石の隙間へ入り込んでいき、その結果、あまり砕石に弾かれることもなく匙体３全体をスムーズに砕石の内部へ突き入れられ、一度に多くの砕石をすくい上げることを可能としている。
【００２０】
突起片の形状は、被掘削物の種類や性状に応じて適宜選択して最も効率良くすくい上げることが可能なものを採用すれば良く、図１に示すように、匙体３の刃先部の中央部を一カ所切り欠くようにして一対の突起片３ａを形成させたもの以外にも、例えば図２に示すように、匙体３の刃先部をギザギザに切り欠くようにして多数の突起片３ａを形成させたものや、或いは図３に示すように、匙体３の刃先中央部を突設させるように突起片３ａを形成させたものなど、様々な形状のものを適宜採用することができる。
【００２１】
また、匙体３には、匙体３と砕石などとの接触から衝撃が生じると、その衝撃による振動を吸収するような制振防音材５を貼り付けている。制振防音材５としては、樹脂、耐摩耗ゴム、その他のウレタンゴム等のゴム材のごとき、衝撃による振動を吸収するような各種材料を使用し、接着剤、熱による溶着、熱による溶着を施しながらの圧接、溶射、またはリベットによる取り付けなどの適宜方法によって貼り付けている。なお、前記制振防音材５として、例えば、保護用の薄いステンレス鋼板に樹脂を貼り付けて振動吸収性を有する貼合型遮音シート（商品名：カルムーンシート、積水化学工業株式会社製）などを好適に採用することができる。
【００２２】
図４は図１のＡ−Ａ断面図を示すもので、図４（ａ）は、匙体３の制振防音材５の貼り付け部を窪ませて成形し、板状またはシート状の制振防音材５を貼り付けたものである。なお、この貼り付け方法では、制振防音材５の表面は露出していてショベル使用時に砕石等に直接接触して摩耗しやすいので、例えば、耐摩耗ゴムを使用すれば摩耗しにくくて好適である。図４（ｂ）は制振防音材５の他の貼り付け実施例を示すもので、前記した貼合型遮音シート（商品名：カルムーンシート）などの樹脂、或いは耐摩耗ゴム、その他のウレタンゴム等のゴム材といった制振防音材５を匙体３の窪ませた箇所に貼り付け、耐摩耗性の高い鋼板等より成る板体６によって押さえ付けながら表面を覆うようにして摩耗対策を施したものである。
【００２３】
また、図４（ｃ）は、匙体３を窪ませずに制振防音材５を貼り付け、耐摩耗性の高い鋼板等より成る板体６によって覆うようにしたものである。なお、制振防音材５の貼り付け部を窪ませて成形するのは、制振防音材５を剥がれにくくすると共に、すくいあげた砕石等を匙体３表面に沿ってスムーズに流すためであり、また成形部がリブの役目をしてショベル剛性が向上する効果もある。
【００２４】
匙体３に制振防音材５を貼り付ける箇所は、好ましくは砕石等と接触する匙体表面の全面であれば防音効果が大きいが、図１乃至図３に示すような匙体２の一部でも良いし、また、図５に示すように、匙体３のすくい部の他、柄体２を挿入する匙体３の柄挿入部３ｂ、また摩耗が少なくて済む柄挿入部３ｂの裏側の窪み部に貼り付けても良いし、更には、それらを適宜組み合わせて貼り付けることもできる。
【００２５】
更に、図６に示すように、匙体３のすくい部から肩部にかけて制振防音材５を貼り付けることもでき、また匙体３の刃先部には刃先に被せるように形状加工した耐摩耗ゴムを被せて貼り付けるなど、貼り付け箇所や貼り付け面積によって防音効果の大小はあるもののコストと防音効果等を考慮しながら適宜位置に適宜形状の制振防音材５を貼り付ければそれなりの防音効果が期待できる。
【００２６】
また、匙体３に制振防音材５を貼り付けるのに代えて、匙体３の表面の全面または一部に衝撃による振動を抑える樹脂系塗料やゴム系塗料を塗布しても良い。この塗料の塗布によっても防音効果が期待できる。
【００２７】
また、柄体２として鋼管製のものを使用するときには、図７に示すように、柄体２の内部に衝撃時の振動を抑える、樹脂やゴム材などの制振防音材５を充填したり、または柄体２の表面に制振防音材を貼り付ける。これによって、鋼管製の柄体２に衝撃が加わっても振動を抑えて音の発生が防止できる。なお、鋼管製の把持体４の内部に制振防音材を充填したり、軽量化のために発泡ウレタンを充填するなどすれば、鋼管内への水分や異物の侵入を阻止して鋼管内からの錆の発生が防げるとともに、防音の効果も期待できる。
【図面の簡単な説明】
【００２８】
【図１】本発明に係るショベルの正面図である。
【図２】本発明に係わるショベルの匙部の別の実施例を示す拡大正面図である。
【図３】更に別の実施例を示す図２に相当する図である。
【図４】図１のＡ−Ａ断面拡大図である。
【図５】本発明に係わるショベルの匙部の別の実施例を示す拡大正面図と拡大側面図である。
【図６】更に別の実施例を示す図２に相当する図である。
【図７】図１のＢ−Ｂ断面拡大図である。
【符号の説明】
【００２９】
１…ショベル                ２…柄体
３…匙体                    ３ａ…突起片
３ｂ…匙体の柄挿入部        ４…把持体
５…制振防音材
【図１】
2005126932.tif 000003
【図２】
2005126932.tif 000004
【図３】
2005126932.tif 000005
【図４】
2005126932.tif 000006
【図５】
2005126932.tif 000007
【図６】
2005126932.tif 000008
【図７】
2005126932.tif 000009